(57)【要約】      （修正有）【課題】封止樹脂，光学レンズの界面における剥離が抑制され得ると共に、光学レンズの半導体発光素子に対する位置決めが正確に行なわれ得るようにした半導体発光装置を提供する。【解決手段】セラミック基板１１表面のチップ実装部を包囲するように基板上面に設けられたハウジング１２と、このハウジングのキャビティ内に露出するチップ実装部上に実装された半導体発光素子１３と、上記キャビティ内にてハウジングの上面の高さまで充填された封止層１５と、この封止層の上方に配置された光学レンズ１６と、を含む半導体発光装置１０であって、上記ハウジングが、内側のキャビティ壁面の所定高さ位置に段部と当該段部に隣接するほぼ垂直な立ち壁を備えており、上記光学レンズ１６が、底部付近から互いに水平方向反対側に突出し、上記キャビティの段部の内径よりも大きな外径の一対のフランジ部１６ａを備えていることを特徴とする、半導体発光装置を構成する。【選択図】図１
2007311674.tif 000002
【特許請求の範囲】
【請求項１】
表面にチップ実装部を有する板と、このチップ実装部を包囲するように形成された基板上面に設けられたハウジングと、このハウジングのキャビティ内に露出するチップ実装部上に実装された半導体発光素子と、上記キャビティ内にて半導体発光素子を覆う高さまで充填された微粒子を含む透光性樹脂層と、さらに上記キャビティ内にてハウジングの上面の高さまで充填された封止層と、この封止層の上方に配置された光学レンズと、を含む半導体発光装置であって、
上記ハウジングが、内側のキャビティ壁面の所定高さ位置に段部と当該段部に隣接するほぼ垂直な立ち壁を備えており、
上記光学レンズが、底部付近から互いに水平方向反対側に突出し、上記キャビティの段部の内径よりも大きな外径の一対のフランジ部を備えていて、
上記光学レンズのフランジ部がハウジングキャビティ内の段部に上方から当接した状態で、上記封止層内に埋設されていることを特徴とする、半導体発光装置。
【請求項２】
上記フランジ部が、上記光学レンズの下面と同じ高さもしくはレンズ下面より僅かに上方の高さに配置されていることを特徴とする、請求項１に記載の半導体発光装置。
【請求項３】
上記フランジ部が、上記光学レンズの下方に突出する凸部を備えていることを特徴とする、請求項１または２に記載の半導体発光装置。
【請求項４】
上記フランジ部が、その先端面にて、ハウジングの段部に隣接する壁面に当接していることを特徴とする、請求項１から３の何れかに記載の半導体発光装置。
【発明の詳細な説明】
【技術分野】
【０００１】
本発明は、半導体発光素子からの光を波長変換層を介して出射させて、半導体発光素子チップからの出射光と波長変換層からの励起光とを混合して、光学レンズを介して外部に出射するようにした半導体発光装置に関する。
【背景技術】
【０００２】
従来、このような半導体発光装置としてのＬＥＤは、例えば特許文献１に示すようにして製造される。
即ち、特許文献１によれば、図８に示すように、上面にリフレクタを構成する光反射キャビティ１ａを備えた基体（ステム）１に、リードフレーム２ａ，２ｂがインサート成形されている。ここで、上記リードフレーム２ａ，２ｂは、それぞれ上記光反射キャビティ１ａ内にてその底面に露出している。
【０００３】
上記光反射キャビティ１ａの底部にて、リードフレーム２上にＬＥＤチップ（半導体発光素子チップ）３が載置され、リードフレーム２ａに対してダイボンディングにより、またリードフレーム２ｂに対してワイヤボンディングにより、それぞれ電気的に接続される。
その後、上記光反射キャビティ１ａ内にて、ＬＥＤチップ３を覆うように、封止樹脂（光透過性樹脂）５が充填され、さらにその上に、砲弾状に上方に突出する光透過性樹脂から成る光学レンズ６が配置される。
【０００４】
ここで、上記光学レンズ６を形成する場合、図９に示すように、光学レンズ用ケース型７内に、未硬化の光透過性樹脂を注入した後、上記ＬＥＤチップ３が実装され且つ光反射キャビティ１ａ内に封止樹脂５が充填された上記基体１を上下反転した状態で、このケース型７内に浸漬される。
その際、基体１から側方に突出する各リードフレーム２ａ，２ｂが上記ケース型７の上縁に当接することにより、ストッパとして作用する。これにより、上記気体がケース型７内にて所定位置に位置決めされることになり、この状態にて、上記光透過性樹脂を硬化させて、光学レンズ６を形成する。
最後に、上記ケース型７内から基体１を取り出して、リードフレーム２ａ，２ｂの余分な部分を切除することにより、ＬＥＤが完成するようになっている。
【０００５】
このような構成のＬＥＤによれば、半導体発光素子チップ３から出射した光が、封止樹脂５を通って、さらに光学レンズ６を通って外部に出射する。その際、外部への出射光は、光学レンズ６の光学作用によって、所定の配光特性が付与されることになる。
【０００６】
ところで、このようなＬＥＤにおいては、上記基体１と光学レンズ６、そして上記封止樹脂５と光学レンズ６との間に、化学的結合のない界面が生ずることになる。
一般的に、ＬＥＤの動作環境温度は、−２０℃から＋８０℃以上までとなり、特に車載用途の場合には、−４０℃から＋１００℃の間で変化することになり、このような温度においても、安定した動作が要求されることになる。
【０００７】
しかしながら、上述した構成のＬＥＤにおいては、外部の温度変化に対して、基体１，封止樹脂５及び光学レンズ６の熱膨張，熱収縮によって、各材料の熱膨張係数の差に基づいて、化学的結合のない界面に応力が加えられ、場合によっては剥離が発生することになる。
特に、例えばＬＥＤをリフロー処理した場合やヒートショック試験等においては、これらの界面にてしばしば剥離が発生する。
【０００８】
このような剥離の発生によって、これらの界面において、光の反射が生ずることになり、外部への出射光の光度が低下してしまう。
特に、硬度の高い材料同士の場合に、このような剥離が発生しやすくなっている。
また、リードフレーム２ａ，２ｂを利用して、ケース型７に対する位置決めを行なっているが、このような位置決め方法では、水平方向における位置決めを正確に行なうことができず、光軸ずれが発生しやすかった。
【０００９】
これに対して、上述した熱膨張係数の差による剥離を抑制するようにしたＬＥＤが、特許文献２や特許文献３に開示されている。
特許文献２においては、熱膨張係数の大きい緩衝用樹脂（封止樹脂）に対して、剰余分の収納部を設けることにより、低温時には熱収縮により体積が不足する緩衝用樹脂を上記収納部から補給して剥離を防止し、高温時には熱膨張により過剰となった緩衝用樹脂を上記収納部に収納して、パッケージ内圧の上昇を防止するようにした、ＬＥＤが開示されている。
【００１０】
また、特許文献３においては、レンズ内面に表面処理を施すことにより、封止樹脂との接着性を高め、基体と封止樹脂との接触面の一部に応力緩和部を設けて、界面で発生する応力を緩和するようにした半導体発光装置が開示されている。      
【特許文献１】特許第３４９２１７８号
【特許文献２】特開２００５−１１６８１７号
【特許文献３】特開２００５−１３６１０１号
【発明の開示】
【発明が解決しようとする課題】
【００１１】
しかしながら、特許文献２によるＬＥＤにおいては、緩衝用樹脂の剰余分の収納部を設けることにより、半導体発光素子チップからの光の一部が遮断されることになり、光取出し効率が低下してしまう。さらに、上記収納部の周囲においては、温度変化に伴って、上記収納部に進入または退避する緩衝用樹脂が移動することになり、レンズとの界面において、剥離が発生しやすい。また、緩衝用樹脂の硬化の際に収縮応力が緩衝用樹脂全体に発生することにより、上記界面における剥離が発生してしまう。
【００１２】
また、特許文献３による半導体発光装置においては、レンズ内面の表面処理によりレンズと封止樹脂との接着性が高められている。このため、この界面における剥離が抑制されることになるが、基体と封止樹脂との接触面の一部に応力緩和部が設けられていることにより、また基体の封止樹脂との接触面に発生する応力が部分的に緩和されることにより、却って他の領域における剥離が促進されることになる。
【００１３】
本発明は、以上の点から、簡単な構成により、封止樹脂，光学レンズの界面における剥離が抑制され得て、光学レンズの半導体発光素子に対する位置決めが正確に行なわれ得るようにした半導体発光装置を提供することを目的としている。
【課題を解決するための手段】
【００１４】
上記目的は、本発明によれば、表面にチップ実装部を有する板と、このチップ実装部を包囲するように形成された基板上面に設けられたハウジングと、このハウジングのキャビティ内に露出するチップ実装部上に実装された半導体発光素子と、上記キャビティ内にて半導体発光素子を覆う高さまで充填された微粒子を含む透光性樹脂層と、さらに上記キャビティ内にてハウジングの上面の高さまで充填された封止層と、この封止層の上方に配置された光学レンズと、を含む半導体発光装置であって、上記ハウジングが、内側のキャビティ壁面の所定高さ位置に段部と当該段部に隣接するほぼ垂直な立ち壁を備えており、上記光学レンズが、底部付近から互いに水平方向反対側に突出し、上記キャビティの段部の内径よりも大きな外径の一対のフランジ部を備えていて、上記光学レンズのフランジ部がハウジングキャビティ内の段部に上方から当接した状態で、上記封止層内に埋設されていることを特徴とする、半導体発光装置により達成される。
。
【００１５】
本発明による半導体発光装置は、好ましくは、上記フランジ部が、上記光学レンズの下面と同じ高さもしくはレンズ下面より僅かに上方の高さに配置されている。
【００１６】
本発明による半導体発光装置は、好ましくは、上記フランジ部が、上記光学レンズの下方に突出する凸部を備えている。
【００１７】
本発明による半導体発光装置は、好ましくは、上記フランジ部が、その先端面にて、ハウジングの段部に隣接する壁面に当接している。
【発明の効果】
【００１８】
上記構成によれば、上記ハウジングが、内側のキャビティ壁面の所定高さ位置に段部と当該段部に隣接するほぼ垂直な立ち壁を備えており、上記光学レンズが、底部付近から互いに水平方向反対側に突出し、上記キャビティの段部の内径よりも大きな外径の一対のフランジ部を備えていて、上記光学レンズのフランジ部がハウジングキャビティ内の段部に上方から当接した状態で、上記封止層内に埋設されている上記光学レンズは、その一対のフランジ部が、それぞれハウジングのキャビティ壁面に設けられた段部に上方から当接することにより、上下方向に関して位置決めされている。これにより、セラミック基板のチップ実装部に実装された半導体発光素子と光学レンズの距離が正確に合わせられる。また、外部環境温度の変化等による熱応力が光学レンズと封止層の界面に作用したとしても、このフランジ部と封止層の比較的大きな接触面積により、上記熱応力が効果的に緩和されることになり、上記光学レンズの封止層からの剥離が抑制され得ることになる。
さらに、上記構成により、上記光学レンズは、封止層に対して確実に保持され得ることになり、上述した熱応力が作用しても、上記光学レンズの封止層からの剥離がより一層抑制され得ることになる。
【００１９】
このようにして、組立の際の光学レンズの光軸ずれ等の位置ずれが低減され得る。また、外部の温度変化による封止層と光学レンズとの界面における剥離が発生せず、信頼性の高い半導体発光装置が提供され得ることになる。
【００２０】
上記フランジ部が、上記光学レンズの下面と同じ高さもしくはレンズ下面より僅かに上方の高さに配置されている場合には、光学レンズの下面とフランジ部の下面が同一平面となる。これにより、半導体発光素子から出射する光が、光学レンズの下面とフランジ部との境界付近で予期しない方向に屈折または反射することが抑制され得ることになる。
【００２１】
上記フランジ部が、上記光学レンズの下方に突出する凸部を備えている場合には、外部環境温度の変化等により熱応力が発生したとき、このフランジ部の凸部による段部への接点を支点として、上記光学レンズが上下方向に僅かに移動して、この熱応力を吸収することになる。これにより、上記熱応力がより一層緩和され、光学レンズの封止層からの剥離がより確実に回避され得ることになる。
【００２２】
上記フランジ部が、その先端面にて、ハウジングの段部に隣接する壁面に当接している場合には、これにより光学レンズがハウジングに対して水平方向に正確に位置決めされ得ることになり、セラミック基板のチップ実装部に実装された半導体発光素子と光学レンズの光軸が正確に合わせられ得る。
【００２３】
このようにして、本発明によれば、簡単な構成により、封止樹脂，光学レンズの界面における剥離が抑制され得る。また、光学レンズの半導体発光素子に対する位置決めが正確に行なわれ得るようにした半導体発光装置が提供され得ることになる。
【発明を実施するための最良の形態】
【００２４】
以下、この発明の好適な実施形態を図１〜図７を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
［実施例１］
図１及び図２は、本発明による半導体発光装置としてのＬＥＤの第一の実施形態を示している。
図１及び図２において、ＬＥＤ１０は、チップ実装部１１ａを有する基板１１と、このチップ実装部１１ａを包囲するように基板１１の上面に設けられたハウジング１２と、このハウジング１２のキャビティ１２ａ内に露出する上記チップ実装部１１ａ上に実装されたＬＥＤチップ１３と、上記ハウジング１２のキャビティ１２ａ内に充填された波長変換剤（例えば蛍光体）を混入した波長変換層１４と、上記キャビティ１２ａ内にて上記波長変換層１４の上に配置された封止層１５と、この封止層１５の上方に配置された光学レンズ１６と、から構成されている。
【００２６】
上記基板１１は、熱伝導性の高い材料、具体的には銅，アルミニウム等の表面に絶縁層を備えた金属板や、酸化アルミニウム，炭化ケイ素，窒化ケイ素若しくは酸化ジルコニウム等のセラミック基板、またはシリコン等から構成されている。
上記基板１１は、その表面に電極パターンが形成されており、この電極パターンにより、ほぼ中央付近のチップ実装部１１ａを備えている。また、この電極パターンは、上記基板１１の上面または下面に引き回されることにより、上面または下面にて電気的接続が行なわれ得るようになっている。
【００２７】
上記ハウジング１２は、例えば不透光性樹脂材料から構成されており、上記基板１１上の所定位置に、例えば接着剤等により固定されている。
上記ハウジング１２は、その内側に上下に貫通する。また、上記チップ実装部１１ａを露出させるキャビティ１２ａを備えている。
【００２８】
このキャビティ１２ａは、図示の場合、下部１２ｂが円筒状に、そして上部１２ｃが上に向かって広がる円錐台状に形成されており、内面が反射面として構成されている。また、上縁付近に円環状の段部１２ｄを備えている。
ここで、上記段部１２ｄは、ハウジング１２の下面、即ち基板１１の上面から所定の高さ位置に配置されている。
尚、上記ハウジング１２は、基板１１と一体に構成されていてもよい。この場合、チップ実装部１１ａを含む電極パターンは、例えばリードフレームから構成され、所謂インサート成形され得る。
【００２９】
上記ＬＥＤチップ１３は、例えば青色ＬＥＤチップであって、上記ハウジング１２のキャビティ１２ａ内にて、上記基板１１のチップ実装部１１ａ上に接合される。また、その上面に設けられた電極が、隣接してキャビティ１２ａ内に露出するボンディング部（図示せず）に対して金線等を使用したワイヤボンディングにより電気的に接続されるようになっている。
【００３０】
上記波長変換層１４は、微粒子状の波長変換剤１４ａを混入した透光性樹脂から構成されており、上記キャビティ１２ａ内にて円筒状の下部１２ｂ内に充填されている。
ここで、上記波長変換剤１４ａは、ＬＥＤチップ１３からの青色光が入射することにより励起され、例えば黄色光を発生させるような材料が選択されており、これらの混色による白色光が外部に出射するようになっている。
【００３１】
上記封止層１５は、透光性樹脂材料から構成されており、上記波長変換層１４の表面全体を覆うように、上記キャビティ１２ａの上部１２ｃ内に充填されている。
尚、上記封止層１５を構成する透光性樹脂材料は、後述するように、未硬化の状態で上記キャビティ１２ａの上部１２ｃ内に充填された後、光学レンズ１６の下端部分が封止層１５内にて位置決めされた後に、熱硬化等により硬化されるようになっている。
また、封止層１５は、上記光学レンズ１６より柔らかい材料もしくは同一の硬さの材料とされる。
【００３２】
上記光学レンズ１６は、透光性材料、例えばエポキシ樹脂，シリコーン樹脂，アクリル樹脂，ポリカーボネイト樹脂等から構成され、好ましくはゴム弾性を有するシリコーン樹脂から構成されており、全体として下面が平坦に且つ上方が砲弾状に形成されている。
さらに、上記光学レンズ１６は、図３に示すように、下縁から互いに水平方向反対側に突出する一対のフランジ部１６ａを備えている。また、図面上下方向においては、フランジ部を備えていない。すなわち、図２に示したようにフランジ部１６ａは、上記ハウジング１２のキャビティ１２ａの円筒状下部１２ｂに載置可能な大きさとし、光学レンズ１６の図面上下方向においては、上記円筒状下部１２ｂ上に上記光学レンズ１６が直接に載置しない円筒状下部１２ｂの内径より小さな幅とし、図面左右方向において上記円筒状下部１２ｂの内径より大きな幅とした反対側に突出する一対のフランジ部１６ａを備えている。また、フランジ部１６ａはＬＥＤチップ１３の厚みと同程度、厚くとも２倍よりも薄く形成すると良い。
尚、このフランジ部１６ａは、光学レンズ１６と一体成形されており、金型により容易に製造可能である。また、円筒状下部１２ｂの内径より小さな幅であれば上記図面上下方向においてもフランジ部を備えることも可能である。
【００３３】
このフランジ部１６ａは、上記光学レンズ１６がハウジング１２上に載置されたとき、その下面がハウジング１２のキャビティ１２ａに設けられた段部１２ｄに対して上方から当接することにより、上記光学レンズ１６を上下方向に関して位置決めするようになっている。
また、フランジ部１６ａの先端面にて上記キャビティの段部に隣接するほぼ垂直な立ち壁１２ｅに当接している。これにより、上記光学レンズ１６を水平方向の位置決めを行なっている。
【００３４】
本発明実施形態によるＬＥＤ１０は、以上のように構成されており、以下のようにして製造される。
即ち、まず基板１１に対してハウジング１２が取り付けられる。また、このハウジング１２のキャビティ１２ａ内に露出しているチップ実装部１１ａ上に、ＬＥＤチップ１３が接合され、さらにワイヤボンディングにより電極パターンに対して電気的に接続される。
【００３５】
その後、上記キャビティ１２ａの下部１２ｂ内に、ディスペンサー装置等により、波長変換層１４を構成する波長変換剤を混入した透光性樹脂材料が充填され、加熱硬化される。
次に、上記ハウジング１２のキャビティ１２ａの上部１２ｃ内にて、上記波長変換層１４の上に、封止層１５の材料が充填される。
【００３６】
この状態から、上方より光学レンズ１６を降下させて、ハウジング１２の上に載置する。
その際、上記光学レンズ１６の下縁が、上記封止層１５の材料中に進入し、そのフランジ部１６ａが、上記キャビティ１２ａの段部１２ｄに対して上方から当接することにより、上記光学レンズ１６が上下方向に関して位置決めされることになる。
これに伴って、上記封止層１５の材料は、図２のフランジ部１６ａを設けていない箇所を通って光学レンズ１６のフランジ部１６ａの上方まで回り込んで、上記キャビティ１２ａ内に完全に満たされる。
最後に、上記封止層１５を加熱・硬化し、上記光学レンズ１６のフランジ部１６ａは、封止層１５中に埋設され、上記封止層１５と一体化されることになる。
【００３７】
このように製造されたＬＥＤ１０によれば、基板１１上に形成された電極パターンを介して、ＬＥＤチップ１３に駆動電圧が印加されると、ＬＥＤチップ１３が発光して、青色光が出射する。
ＬＥＤチップ１３から出射する青色光の一部が、波長変換層１４に混入された波長変換剤１４ａに入射することにより、波長変換剤１４ａが励起されて、黄色光の蛍光を発生させる。
この黄色光が、ＬＥＤチップ１３からの青色光と混色されることにより、白色光となって、波長変換層１４を通って、封止層１５を介して、光学レンズ１６に入射し、この光学レンズ１６の光学作用により所定の配光特性を付与されて外部に出射することになる。
【００３８】
ここで、上記光学レンズ１６のフランジ部１６ａが、封止層１５中に埋設されていることにより、上記フランジ部１６ａそして光学レンズ１６が確実に封止層１５に対して保持されている。このため、封止層１５に対する光学レンズ１６の密着性が良好である。
これにより、外部環境温度の変化等により封止層１５と光学レンズ１６の界面に熱応力が発生したとしても、光学レンズ１６のフランジ部１６ａのキャビティ１２ａの段部１２ｄに対する接触点を支点として、上記光学レンズ１６が上下方向に移動、またはフランジ部１６ａが変形することにより、この熱応力は、吸収または緩和されることになる。
これにより、光学レンズ１６が封止層１５から剥離してしまうようなことがなく、半導体発光装置としてのＬＥＤ１０の信頼性が向上することになる。
【００３９】
［実施例２］
図５は、本発明による半導体発光装置としてのＬＥＤの第二の実施形態を示している。
図５において、ＬＥＤ２０は、図１に示したＬＥＤ１０とほぼ同様の構成であるので、同じ構成要素には同じ符号を付して、その説明を省略する。
上記ＬＥＤ２０は、図１に示したＬＥＤ１０とは、上記光学レンズ１６が、各フランジ部１６ａの先端付近に下方に突出する凸部１６ｂを備えている点でのみ異なる構成になっている。
ここで、上記凸部１６ｂは、光学レンズ１６そしてフランジ部１６ａと一体成形されている。
図６は上記凸部１６ｂの配設例を示す。（ａ）図は、凸部１６ｂをフランジ部１６ａの先端に沿う形で帯状に形成した例、（ｂ）図は、突起形状の凸部１６ｂを各隅部に形成した例、（ｃ）図は、突起形状の複数個の凸部１６ｂを放射状に並べて形成した例である。また、（ｄ）図は、フランジ部１６ａの先端部にも凸部を設けた例である。
【００４０】
このような構成のＬＥＤ２０によれば、図１に示したＬＥＤ１０と同様に作用する。また、さらに上記光学レンズ１６のフランジ部１６ａの先端に設けられた凸部１６ｂが、対応する上記キャビティ１２ａの段部１２ｄに対して上方から当接している。このため、外部環境温度の変化等により封止層１５と光学レンズ１６との界面に発生する熱応力に対して、点接触により応力緩衝台座として作用し、この熱応力をより一層効果的に緩和することができるようになっている。
また、上記凸部１６ｂを放射状もしくは隅部に配置すると、封止層１５内に埋設する際に封止層の材料の上方への回りこみの際に障害となり難く好適である。また、フランジ部１６ａの先端部にも凸部を設けた場合には、下方および側方の双方において点接触となり応力緩衝台座として作用するものとなり、より一層熱応力の吸収または緩和することができるようになっている。
【００４１】
［実施例３］
図７は、本発明による半導体発光装置としてのＬＥＤの第三の実施形態を示している。
図７において、ＬＥＤ３０は、図１に示したＬＥＤ１０とほぼ同様の構成であるので、同じ構成要素には同じ符号を付して、その説明を省略する。
上記ＬＥＤ３０は、図１に示したＬＥＤ１０とは、光学レンズ１６のフランジ部１６ａが、光学レンズ１６の下端ではなく、下端から僅かに上方の高さ位置に配置されている。
また、フランジ部１６ａ下方の周縁部１６ｃを傾斜面とし、光学レンズ１６のＬＥＤチップ１３側の中央付近が周縁部１６ｃよりＬＥＤチップ側に深く封止層１５内に埋設される構成とされており、これらの点でのみ異なる構成となっている。
【００４２】
このような構成のＬＥＤ３０によれば、図１に示したＬＥＤ１０と同様に作用する。また、上記光学レンズ１６は、図１に示したＬＥＤ１０と比較して、封止層１５内により深く進入して埋設されている。このため、封止層１５に対する密着性がより一層高くなり、光学レンズ１６の封止層１５からの剥離がより一層低減され得ることになる。
また、フランジ部１６ａ下方の周縁部１６ｃよりＬＥＤチップ１３側の中央付近が封止層１５内に深く進入して埋設されるため、封止層１５内に進入した際に気泡の入り込みを抑止することもでき、これにより、光学レンズ１６の封止層１５からの剥離がより一層低減されることになる。
【産業上の利用可能性】
【００４３】
上述した実施形態においては、半導体発光素子として青色光を出射するＬＥＤチップ１３が使用されているが、これに限らず、他の色の光を出射するＬＥＤチップであっても、また他の構成の半導体発光素子であってもよい。
ここで、波長変換層１４に混入された波長変換剤１４ａは、青色光を黄色光に変換するようになっているが、これに限らず、ＬＥＤチップを含む半導体発光素子の出射光の発光色に対応して、この発光色を適宜の色の光に波長変換するようなものが選択され得る。
【００４４】
さらに、上述した実施形態においては、ハウジング１２のキャビティ１２ａ内に、波長変換剤１４ａを含む波長変換層１４が充填されているが、これに限らず、波長変換剤を含まない封止樹脂が充填されていてもよい。
この場合、ＬＥＤチップ１３から出射した光は、そのまま封止樹脂及び封止層１５，光学レンズ１６を介して外部に出射することになる。
【００４５】
このようにして、本発明によれば、簡単な構成により、封止樹脂，光学レンズの界面における剥離が抑制され得る。また、光学レンズの半導体発光素子に対する位置決めが正確に行なわれ得るようにした、極めて優れた半導体発光装置が提供され得る。
【図面の簡単な説明】
【００４６】
【図１】本発明による半導体発光装置の第一の実施形態の構成を示す概略断面図である。
【図２】図１の半導体発光装置を示す概略平面図である。
【図３】図１の半導体発光装置における光学レンズを示す平面図である。
【図４】図１の半導体発光装置における製造途中の状態を示す分解断面図である。
【図５】本発明による半導体発光装置の第二の実施形態の構成を示す概略断面図である。
【図６】（ａ）〜（ｄ）は、図５の半導体発光装置における凸部の配設例を示す平面図である。
【図７】本発明による半導体発光装置の第三の実施形態の構成を示す概略断面図である。
【図８】従来の半導体発光装置の一例の構成を示す概略断面図である。
【図９】図８の半導体発光装置における製造途中の状態を示す分解断面図である。
【符号の説明】
【００４７】
１０，２０，３０    ＬＥＤ（半導体発光装置）
１１    基板（セラミック基板）
１１ａ  チップ実装部
１２    ハウジング
１２ａ  キャビティ
１２ｂ  下部
１２ｃ  上部
１２ｄ  段部
１２ｅ  立ち壁
１３    ＬＥＤチップ（半導体発光素子）
１４    波長変換層（封止樹脂）
１４ａ  波長変換剤
１５    封止層
１６    光学レンズ
１６ａ  フランジ部
１６ｂ  凸部
１６ｃ  周縁部
【図１】
2007311674.tif 000003
【図２】
2007311674.tif 000004
【図３】
2007311674.tif 000005
【図４】
2007311674.tif 000006
【図５】
2007311674.tif 000007
【図６】
2007311674.tif 000008
【図７】
2007311674.tif 000009
【図８】
2007311674.tif 000010
【図９】
2007311674.tif 000011